(57)【特許請求の範囲】
【請求項１】
室内の空気と熱交換を行う室内ユニットを備えた空気調和装置において、
前記室内ユニットは、筐体と、該筐体の前面端部に面して形成され、その縁部が上記前面端部から内側に窪む形状となっている凹部と、上記凹部に基端部が嵌合して固定されるアウトレットグリルとを備え、
前記筐体の凹部と前記アウトレットグリルの基端部との当接面には、これら凹部及び基端部間の隙間を内外方向に沿って蛇行させる凹凸が設けられ、
前記凹凸として、前記凹部の縁部より内側に位置して前記縁部に沿って設けられている段差部と、前記アウトレットグリルの基端部に設けられ前記段差部と対応する形状の溝が設けられていることを特徴とする空気調和装置。
【請求項２】
前記筐体に形成されて前記凹部よりも下方に位置する長孔と、前記基端部に形成されて前記長孔に係合することにより前記アウトレットグリルの上下方向の移動を規制する爪部とを備えていることを特徴とする請求項１に記載の空気調和装置。
【請求項３】
前記長孔の下方に位置して前記爪部の背面と係合することにより、前記アウトレットグリルの前後方向の移動を規制する爪部を備えていることを特徴とする請求項２に記載の空気調和装置。
【発明の詳細な説明】
【技術分野】
【０００１】
本発明は、空気調和装置に関し、特に吹出口に設けられたアウトレットグリルの取り付け構造に関する。
【背景技術】
【０００２】
従来の空気調和機について図を参照して説明する。
図４は空気調和機の全体構成を説明する斜視図である。図において、符号１０は室内ユニット、２０は室外ユニット、３０は両ユニット間で冷媒を循環させる冷媒配管を示している。
室外ユニット２０は、室内の空気（以下「室内空気」と称する。）によって加熱または冷却された冷媒と室外の空気（以下「外気」と称する。）とを熱交換させる室外熱交換器２３と、該室外熱交換器２３または後述する室内熱交換器１３に冷媒を送出する圧縮機２２と、室外熱交換器２３に外気を流通させるプロペラファン２４等を備えて構成されている。
【０００３】
室内ユニット１０は、外観形状をなす筐体１１内に、外気によって冷却または加熱された冷媒と室内空気とを熱交換させる室内熱交換器１３と、該室内熱交換器１３に室内空気を通過させる横断流ファン１４（室内ユニットファン）とを備えて構成されている。
【０００４】
また、筐体１１の前面には、室内空気を筐体１１内に取り込むためのフロントパネル１２と、熱交換された空気が室内に向けて吹き出される吹出口Ｂとが形成されており、該吹出口Ｂには、空気の吹き出し方向を決定するフラップ１６等が備えられている。
【０００５】
図５は室内ユニット１０の構成を模式的に示した概略断面図である。フロントパネル１２は、筐体１１の一構成要素とされ、室内ユニット１０の前面をなすメインフロントパネル１２ａと、上面をなす上面パネル１２ｂとによって構成されて室内空気を筐体１１内に取り込む役目を担っている。
フロントパネル１２の下端部は、室内熱交換器１３から滴下する水を受け取るドレンパン、及び横断流ファン１４に対する空気の整流を行うスタビライザーを備えた部材１１ａに連続するように配置されている。吹出口Ｂには、先に説明したフラップ１６に加えて左右方向の吹き出し方向を規定する左右ルーバ１７が備えられている。
【０００６】
また、筐体１１の一部をなすベース１９が、室内ユニット１０の背面及び下部に位置して設けられている。ベース１９の前面には、フードパネル２１が取り付けられており、ベース１９とフードパネル２１とに挟まれて、フラップ１６及び左右ルーバ１７が取り付けられるアウトレットグリル１８が設けられている。
【特許文献１】特許３３９６３６４号公報
【発明の開示】
【発明が解決しようとする課題】
【０００７】
このように構成された室内ユニット１０では、室内空気は、横断流ファン１４の回転駆動により、フロントパネル１２あるいは筐体１１の上面から取り込まれ、室内熱交換器１３を通過する。このことによって、室内空気は室内熱交換器１３を流れる冷媒によって加熱または冷却される。そして、空調された空気は、横断流ファン１４から吹出口Ｂへ送られ、フラップ１６およびルーバ１７にて吹き出し方向が規定されて室内に送風される。
【０００８】
図６及び図７にアウトレットグリル１８近傍の拡大図を示した。図６はフードパネル２１を省略した拡大斜視図であり、図７（ａ）はアウトレットグリル１８における断面図である。また図７（ｂ）はベース１９を示した斜視図である。
アウトレットグリル１８はベース１９に対して固定される。ベース１９側には凹部３１が設けられ、この凹部３１にアウトレットグリル１８の基端部１８ａが嵌合する。
【０００９】
しかしながら、図７（ａ）（ｂ）に矢印で示したように、凹部３１と基端部１８ａの合わせ面の隙間に沿って冷気が侵入し、筐体を構成する部品の隙間に結露が発生する場合があった。
【００１０】
本発明は上記事情に鑑みてなされたものであり、筐体の隙間内の結露を防止することができる空気調和装置を提供することを目的とする。
【課題を解決するための手段】
【００１１】
請求項１に記載の発明は、室内の空気と熱交換を行う室内ユニットを備えた空気調和装置において、前記室内ユニットは、筐体と、該筐体の前面端部に面して形成され、その縁部が上記前面端部から内側に窪む形状となっている凹部と、上記凹部に基端部が嵌合して固定されるアウトレットグリルとを備え、前記筐体の凹部と前記アウトレットグリルの基端部との当接面には、これら凹部及び基端部間の隙間を内外方向に沿って蛇行させる凹凸が設けられ、前記凹凸として、前記凹部の縁部より内側に位置して前記縁部に沿って設けられている段差部と、前記アウトレットグリルの基端部に設けられ前記段差部と対応する形状の溝が設けられていることを特徴とする。
【００１２】
本発明によれば、筐体と前記アウトレットグリル基端部との間に形成された隙間について、その内外方向の形状が凹凸に沿って蛇行するため、この凹凸が流路抵抗となり、冷気の侵入が抑えられる。また、凹凸としての段差部及び溝により、流路抵抗が与えられる。該段差部及び溝を凹部の縁部に沿って設けることにより、周囲からの冷気流入が抑えられる。これらにより、筐体の隙間内の結露を防止することができる。
【００１３】
請求項２に記載の発明は、請求項１に記載の空気調和装置において、前記筐体に形成されて前記凹部よりも下方に位置する長孔と、前記基端部に形成されて前記長孔に係合することにより前記アウトレットグリルの上下方向の移動を規制する爪部とを備えていることを特徴とする。
【００１４】
請求項３に記載の発明は、請求項２に記載の空気調和装置において、前記長孔の下方に位置して前記爪部の背面と係合することにより、前記アウトレットグリルの前後方向の移動を規制する爪部を備えていることを特徴とする。
【発明の効果】
【００１５】
本発明によれば、アウトレットグリルの基端部と筐体との隙間に凹凸が設けられていることにより、この凹凸が流路抵抗となり、冷気が隙間に侵入することが抑制される。したがって、筐体の隙間内の結露を防止することができる。また、筐体に対するアウトレットグリルの上下方向および前後方向の移動を規制することができる。
【発明を実施するための最良の形態】
【００１６】
次に、本発明に係る空気調和装置の一実施の形態を説明する。なお、全体構成は上記従来の空気調和装置と同様であり、同様の構成については同一の符号を用い、その説明を省略する。以下においては本発明に特徴的な個所のみ説明する。
図１は本実施形態に係る空気調和装置が備えるアウトレットグリル５０の近傍について一部を破断して示した斜視図である。
アウトレットグリル５０は、筐体１１の一部をなすベース５１に対して固定されている。ベース５１には凹部５５が形成されており、凹部５５にアウトレットグリル５０の基端部５６が嵌合している。使用時においては、基端部５６はベース５１とフードパネル（不図示）との間に挟み込まれた状態で固定される。
【００１７】
図２にアウトレットグリル５０取り付け前の凹部５５を示した。凹部５５はベース５１の前面端部５１ａに面して形成され、その縁部５５ａは端部５１ａからコ字状に内側に窪む形状となっている。
凹部５５の内壁５５ｂには凹部５５の中心へ向けて張り出すリブ５５ｃが縁部５５ａに沿ってコ字状に設けられていることにより、段差部（凹凸）５８が形成されている。
【００１８】
図３は凹部５５及び基端部５６の嵌合状態を示した断面図である。図のようにリブ５５ｃは上下方向に所定幅を有し、基端部５６には、凹部５５と当接する面に前記リブ５５ｃと対応した形状の溝５６ａが形成されている。リブ５５ｃが溝５６ａに対して嵌ることにより、アウトレットグリル５０の基端部５６が凹部５５に対して固定される。これにより凹部５５の内面と基端部５６の凹部５５に面する側面との間に形成される隙間６０は、凹部５５の内外方向（図３では上下方向）に沿って蛇行した形状となっている。
【００１９】
基端部５６の下部はベース５１の前面端部５１ａよりも下方に延び、その下端には爪部５６ｂが形成され、凹部５５よりも下方に設けられた長孔５５ａに対して係合することによりアウトレットグリル５０の上下方向の移動が規制されるようになっている。さらにベース５１には長孔５５ａの下方に位置して略水平方向前方に延びる爪部５１ｂが設けられ、この爪部５１ｂが爪部５６ｂの背面と係合することによりアウトレットグリル５０の前後方向の移動が規制されるようになっている。またリブ５５ｃと溝５６ａとが嵌り合うことによってもアウトレットグリル５０の移動が規制されるようになっている。
【００２０】
このように形成された本実施形態の空気調和装置では、組み立ての際にアウトレットグリル５０の溝５６ａをリブ５５ｃに対して嵌合させるとともに、爪部５６ｂを長孔５５ａに対して噛み合わせる。基端部５６と凹部５５との間には、僅かに隙間６０が形成される。
冷房運転時には、ベース５１上を冷気が流れる。隙間６０の上端は冷気の流路に面しているものの、隙間６０には段差部５８が設けられているため、この段差部５８が流路抵抗となり、冷気が隙間６０に侵入することが抑制される。
【００２１】
以上のように、本実施形態の空気調和装置によれば、アウトレットグリル５０とベース５１との間の隙間６０に対して冷気が侵入することが抑えられるため、筐体内部の結露を防ぐことができる。
【図面の簡単な説明】
【００２２】
【図１】本発明の一実施形態に係る空気調和装置の室内ユニットが備えるアウトレットグリルの基端部について、一部を破断して示した拡大斜視図であるである。
【図２】アウトレットグリルが取り付けられるベースの凹部を示した斜視図である。
【図３】同凹部とアウトレットグリルの基端部との嵌合状態を示した断面図である。
【図４】一般的な空気調和装置の全体構成を示した概略図である。
【図５】室内ユニットの構成を模式的に示した概略断面図である。
【図６】アウトレットグリルの拡大斜視図である。
【図７】アウトレットグリルの側断面図である。
【符号の説明】
【００２３】
１１  筐体
５０  アウトレットグリル
５１  ベース
５６  基端部
５８  段差部（凹凸）
６０  隙間
【図１】
0004699231.tif 000002
【図２】
0004699231.tif 000003
【図３】
0004699231.tif 000004
【図４】
0004699231.tif 000005
【図５】
0004699231.tif 000006
【図６】
0004699231.tif 000007
【図７】
0004699231.tif 000008